(57)【要約】【課題】情報提供効果の向上を図ること。【解決手段】本発明における情報提供システムは、情報提供装置と、カメラ部及び端末側表示部を備えた携帯端末と、を備え、上記携帯端末は、自端末の姿勢を検出する姿勢検出手段と、この姿勢検出手段にて検出された姿勢情報の送信及び外部情報の受信を行う第一の無線通信手段と、を備えると共に、上記情報提供装置は、姿勢情報の受信及び姿勢情報に応じて予め記憶した提供情報の送信を行う第二の無線通信手段を備える。そして、上記携帯端末は、カメラ部にて取り込んだ表示用情報と第一の無線通信手段にて受信した提供情報を重畳して端末側表示部に表示する重畳表示手段を備える。【選択図】図１１
2013069198.tif 000002
【特許請求の範囲】
【請求項１】
情報提供装置と、カメラ部及び端末側表示部を備えた携帯端末と、を備え、
前記携帯端末は、自端末の姿勢を検出する姿勢検出手段と、この姿勢検出手段にて検出された姿勢情報の送信及び外部情報の受信を行う第一の無線通信手段と、を備えると共に、
前記情報提供装置は、前記姿勢情報の受信及び前記姿勢情報に応じて予め記憶した提供情報の送信を行う第二の無線通信手段を備え、
前記携帯端末は、前記カメラ部にて取り込んだ表示用情報と前記第一の無線通信手段にて受信した前記提供情報を重畳して前記端末側表示部に表示する重畳表示手段を備えた、
情報提供システム。
【請求項２】
請求項１に記載の情報提供システムであって、
前記情報提供装置は、前記表示用情報を表示する情報提供側表示部を備えると共に、当該情報提供側表示部の姿勢を表す情報提供側姿勢情報を記憶しており、
前記情報提供装置が有する前記第二の無線通信手段は、前記情報提供側姿勢情報と前記携帯端末から送信された前記姿勢情報とに基づいて、自装置に対する前記携帯端末の相対的な姿勢を算出して当該算出した前記携帯端末の姿勢に応じた前記提供情報を送信する、
情報提供システム。
【請求項３】
請求項２に記載の情報提供システムであって、
前記携帯端末が有する前記姿勢検出手段は、前記カメラ部の向きを前記姿勢情報として検出し、
前記情報提供装置は、前記情報提供側表示部が前記表示用情報を表示する向きを前記情報提供側姿勢情報として記憶しており、
前記情報提供装置が有する前記第二の無線通信手段は、前記情報提供側姿勢情報と前記携帯端末から送信された前記姿勢情報とに基づいて、自装置に対する前記携帯端末の相対的な向きを算出して当該算出した前記携帯端末の向きに応じた前記提供情報を送信する、
情報提供システム。
【請求項４】
請求項３に記載の情報提供システムであって、
前記携帯端末が有する前記姿勢検出手段は、前記カメラ部を向けている方角と水平方向に対する角度とを前記姿勢情報として検出し、
前記情報提供装置は、前記情報提供側表示部が前記提供情報を表示する方角と水平方向に対する角度とを前記情報提供側姿勢情報として記憶し、
前記情報提供装置が有する前記第二の無線通信手段は、自装置と前記携帯端末との相対的な方角と水平方向に対する角度から自装置に対する前記携帯端末の相対的な向きを算出する、
情報提供システム。
【請求項５】
請求項１に記載の情報提供システムであって、
前記携帯端末が有する前記姿勢検出手段は、表示媒体を前記カメラ部にて撮影した撮影情報を前記姿勢情報として検出し、
前記情報提供装置が有する前記第二の無線通信手段は、前記携帯端末から送信された前記姿勢情報である前記撮影情報に基づいて、前記携帯端末の前記表示媒体に対する相対的な姿勢を算出して当該算出した前記携帯端末の姿勢に応じた前記提供情報を送信する、
情報提供システム。
【請求項６】
請求項５に記載の情報提供システムであって、
前記情報提供装置が有する前記第二の無線通信手段は、前記携帯端末から送信された前記撮影情報内に存在する予め設定された表示物の形状に基づいて、前記携帯端末の前記表示媒体に対する相対的な姿勢を算出する、
情報提供システム。
【請求項７】
請求項６に記載の情報提供システムであって、
前記情報提供装置が有する前記第二の無線通信手段は、前記携帯端末から送信された前記撮影情報内に存在する予め設定された表示物の形状の歪み度合いに応じて、前記携帯端末の前記表示媒体に対する相対的な向きを算出する、
情報提供システム。
【請求項８】
カメラ部及び端末側表示部を備えた携帯端末と無線通信可能であり、
前記携帯端末にて検出された当該携帯端末の姿勢を表す姿勢情報の受信、及び、前記携帯端末の前記カメラ部にて取り込まれた表示用情報に前記携帯端末上で重畳表示される情報として予め記憶した提供情報の送信を行う無線通信手段を備え、
前記無線通信手段は、前記携帯端末から受信した前記姿勢情報に応じて前記提供情報を送信する、
情報提供装置。
【請求項９】
請求項８に記載の情報提供装置であって、
前記携帯端末の前記カメラ部に取り込まれる前記表示用情報を表示する情報提供側表示部を備えると共に、当該情報提供側表示部の姿勢を表す情報提供側姿勢情報を記憶し、
前記無線通信手段は、前記情報提供側姿勢情報と前記携帯端末から受信した前記姿勢情報とに基づいて、自装置に対する前記携帯端末の相対的な姿勢を算出して当該算出した前記携帯端末の姿勢に応じた前記提供情報を送信する、
情報提供装置。
【請求項１０】
請求項８に記載の情報提供装置であって、
前記無線通信手段は、前記携帯端末の前記カメラ部にて撮影された表示媒体の撮影情報を、前記姿勢情報として前記携帯端末から受信し、前記携帯端末から受信した前記姿勢情報である前記撮影情報に基づいて、前記携帯端末の前記表示媒体に対する相対的な姿勢を算出して当該算出した前記携帯端末の姿勢に応じた前記提供情報を送信する、
情報提供装置。
【請求項１１】
カメラ部及び端末側表示部を備えた携帯端末と無線通信可能な情報提供装置に、
前記携帯端末にて検出された当該携帯端末の姿勢を表す姿勢情報の受信、及び、前記携帯端末の前記カメラ部にて取り込まれた表示用情報に前記携帯端末上で重畳表示される情報として予め記憶した提供情報の送信を行う無線通信手段を実現させると共に、
前記無線通信手段は、前記携帯端末から受信した前記姿勢情報に応じて前記提供情報を送信する、
ことを実現させるためのプログラム。
【請求項１２】
請求項１１に記載のプログラムであって、
前記無線通信手段は、前記携帯端末の前記カメラ部に取り込まれる前記表示用情報を表示する前記情報提供装置が備えた情報提供側表示部の姿勢を表す予め記憶された情報提供側姿勢情報と前記携帯端末から受信した前記姿勢情報とに基づいて、自装置に対する前記携帯端末の相対的な姿勢を算出して当該算出した前記携帯端末の姿勢に応じた前記提供情報を送信する、
ことを実現させるためのプログラム。
【請求項１３】
請求項１１に記載のプログラムであって、
前記無線通信手段は、前記携帯端末の前記カメラ部にて撮影された表示媒体の撮影情報を、前記姿勢情報として前記携帯端末から受信し、前記携帯端末から受信した前記姿勢情報である前記撮影情報に基づいて、前記携帯端末の前記表示媒体に対する相対的な姿勢を算出して当該算出した前記携帯端末の姿勢に応じた前記提供情報を送信する、
ことを実現させるためのプログラム。
【請求項１４】
カメラ部及び端末側表示部を備えた携帯端末が、自端末の姿勢を検出し、この検出された姿勢情報を無線通信にて情報提供装置に対して送信し、
前記情報提供装置が、前記携帯端末から送信された前記姿勢情報に応じて、予め記憶した提供情報を無線通信にて外部に送信し、
前記携帯端末が、前記情報提供装置から送信された前記提供情報を受信し、前記カメラ部にて取り込んで前記端末側表示部に表示した表示用情報と前記提供情報とを重畳して表示する、
情報提供方法。
【請求項１５】
請求項１４に記載の情報提供方法であって、
前記情報提供装置が、前記携帯端末の前記カメラ部に取り込まれる前記表示用情報を表示する情報提供側表示部を備えており、当該情報提供側表示部の姿勢を表す予め記憶された情報提供側姿勢情報と、前記携帯端末から受信した前記姿勢情報とに基づいて、自装置に対する前記携帯端末の相対的な姿勢を算出して当該算出した前記携帯端末の姿勢に応じた前記提供情報を送信する、
情報提供方法。
【請求項１６】
請求項１４に記載の情報提供方法であって、
前記情報提供装置が、前記携帯端末の前記カメラ部にて撮影された表示媒体の撮影情報を、前記姿勢情報として前記携帯端末から受信し、
前記情報提供装置が、前記携帯端末から受信した前記姿勢情報である前記撮影情報に基づいて、前記携帯端末の前記表示媒体に対する相対的な姿勢を算出して当該算出した前記携帯端末の姿勢に応じた前記提供情報を送信する、
情報提供方法。
【発明の詳細な説明】
【技術分野】
【０００１】
本発明は、情報提供システムにかかり、特に、携帯型情報処理端末に対して情報提供を行う情報提供システムに関する。
【背景技術】
【０００２】
公共の場で不特定多数に情報を提供するための方法として、街頭広告などの画面に情報を提示する方法が用いられている。ところが、公共の画面を閲覧する人は不特定多数であるため、閲覧者の性別や年齢、嗜好に適切に対応した情報を重畳して提供することが困難である。仮に、公共の画面上に直接、情報を表示した場合には、他者の閲覧の妨げになったり、他者に見られたくない情報をも衆目にさらしたりする恐れがあり、利用が困難となる。
【０００３】
この問題を解決する手段のひとつとして、ＡＲ（Augmented Reality）技術を用いて、携帯電話やＰＤＡ（Personal Digital Assistant）に投影したカメラ映像上に、付加情報を表示する方法がある。この方法により、現在広く普及している携帯電話端末を利用して、公共の画面には何も表示することなく携帯電話端末の画面上の情報に付加情報を重畳させて閲覧することが可能になる。
【０００４】
ここで、特許文献１では、カメラ部を備えた携帯端末を用いて、カメラ部で取得した映像に、拡張現実感情報を表示するＡＲ技術が開示されている。特に、この特許文献１では、カメラ部の姿勢や角度に応じて、拡張現実感情報の表示位置を決定している。
【先行技術文献】
【特許文献】
【０００５】
【特許文献１】特開２０１０−２３８０９６号公報
【発明の概要】
【発明が解決しようとする課題】
【０００６】
ところが、上述したＡＲ技術では、実際の映像に単に付加情報を重畳して表示しているだけであるため、閲覧者に対する効果が向上するよう情報提供を行うことは期待できない。つまり、上述した技術では、閲覧者の視点が考慮されていないため、閲覧者に対して積極的に訴えかけるような情報提供を行うことができず、情報提供効果の向上を図ることができない。例えば、提供する情報が広告宣伝である場合には、その広告宣伝効果のさらなる向上を図ることができない。
【０００７】
このため、本発明の目的は、上述した課題である、情報提供効果の向上を図ることにある。
【課題を解決するための手段】
【０００８】
本発明の一形態である情報提供システムは、
情報提供装置と、カメラ部及び端末側表示部を備えた携帯端末と、を備え、
前記携帯端末は、自端末の姿勢を検出する姿勢検出手段と、この姿勢検出手段にて検出された姿勢情報の送信及び外部情報の受信を行う第一の無線通信手段と、を備えると共に、
前記情報提供装置は、前記姿勢情報の受信及び前記姿勢情報に応じて予め記憶した提供情報の送信を行う第二の無線通信手段を備え、
前記携帯端末は、前記カメラ部にて取り込んだ表示用情報と前記第一の無線通信手段にて受信した前記提供情報を重畳して前記端末側表示部に表示する重畳表示手段を備えた、
という構成をとる。
【０００９】
また、本発明の他の形態である情報提供装置は、
カメラ部及び端末側表示部を備えた携帯端末と無線通信可能であり、
前記携帯端末にて検出された当該携帯端末の姿勢を表す姿勢情報の受信、及び、前記携帯端末の前記カメラ部にて取り込まれた表示用情報に前記携帯端末上で重畳表示される情報として予め記憶した提供情報の送信を行う無線通信手段を備え、
前記無線通信手段は、前記携帯端末から受信した前記姿勢情報に応じて前記提供情報を送信する、
という構成を取る。
【００１０】
また、本発明の他の形態であるプログラムは、
カメラ部及び端末側表示部を備えた携帯端末と無線通信可能な情報提供装置に、
前記携帯端末にて検出された当該携帯端末の姿勢を表す姿勢情報の受信、及び、前記携帯端末の前記カメラ部にて取り込まれた表示用情報に前記携帯端末上で重畳表示される情報として予め記憶した提供情報の送信を行う無線通信手段を実現させると共に、
前記無線通信手段は、前記携帯端末から受信した前記姿勢情報に応じて前記提供情報を送信する、
ことを実現させるためのプログラムである。
【００１１】
また、本発明の他の形態である情報提供方法は、
カメラ部及び端末側表示部を備えた携帯端末が、自端末の姿勢を検出し、この検出された姿勢情報を無線通信にて情報提供装置に対して送信し、
前記情報提供装置が、前記携帯端末から送信された前記姿勢情報に応じて、予め記憶した提供情報を無線通信にて外部に送信し、
前記携帯端末が、前記情報提供装置から送信された前記提供情報を受信し、前記カメラ部にて取り込んで前記端末側表示部に表示した表示用情報と前記提供情報とを重畳して表示する、
という構成をとる。
【発明の効果】
【００１２】
本発明は、以上のように構成されることにより、情報提供効果の向上を図ることができる情報提供システム、情報提供装置、プログラム、情報提供方法を提供することができる。
【図面の簡単な説明】
【００１３】
【図１】本発明における情報提供システムの利用時の様子を示す図である。
【図２】本発明の実施形態１における情報提供システムを構成する携帯端末の構成を示す機能ブロック図である。
【図３】本発明の実施形態１における情報提供システムを構成する情報提供装置の構成を示す機能ブロック図である。
【図４】図３に開示した情報提供装置にて携帯端末の向きを算出するときの様子を示す図である。
【図５】本発明の実施形態１における情報提供システムの利用時の様子を示す図である。
【図６】実施形態１における情報提供システムの動作を示すシーケンス図である。
【図７】本発明の実施形態２における情報提供システムの利用時の様子を示す図である。
【図８】本発明の実施形態２における情報提供システムを構成する携帯端末の構成を示す機能ブロック図である。
【図９】本発明の実施形態２における情報提供システムを構成する情報提供装置の構成を示す機能ブロック図である。
【図１０】実施形態１における情報提供システムの動作を示すシーケンス図である。
【図１１】本発明の付記１における情報提供システムの構成を示す機能ブロック図である。
【図１２】本発明の付記８における情報提供システムの構成を示す機能ブロック図である。
【発明を実施するための形態】
【００１４】
＜実施形態１＞
本発明の第１の実施形態を、図１乃至図６を参照して説明する。図１は、情報提供システムの利用時の様子を示す図である。図２は、情報提供システムを構成する携帯端末の構成を示す機能ブロック図であり、図３は、情報提供システムを構成する情報提供装置の構成を示す機能ブロック図である。図４は、情報提供装置にて携帯端末の向きを算出するときの様子を示す図である。図５は、情報提供システムの利用時の様子を示す図である。図６は、情報提供システムの動作を示すシーケンス図である。
【００１５】
［構成］
本実施形態における情報提供システムは、図１に示すように、街中の壁面Ｗなどの所定箇所に設置されたディスプレイＤ（情報提供側表示部）に表示する街頭広告などの表示用情報をユーザに提供すると共に、このユーザの携帯端末に、ディスプレイＤに表示された表示用情報に重畳表示する提供情報も提供するシステムである。このため、情報提供システムは、図１に示すように、ユーザＨａ，Ｈｂが操作する携帯端末２ａ，２ｂ（２）と、情報提供装置１と、を備えて構成されている。以下、携帯端末２ａ，２ｂ（２）と提供装置１の構成について詳しく説明するが、図１に示す携帯端末２ａ，２ｂを、符号２とも図示して説明する。
【００１６】
上記携帯端末２（２ａ，２ｂ）は、図２に示すように、カメラ部２８及び表示部２９（端末側表示部）、さらには無線通信を行うための送受信アンテナ２１を備えた、携帯電話機や携帯型ゲーム機など情報処理端末である。なお、携帯端末２は、上述した携帯電話機や携帯型ゲーム機に限定されず、いなかる情報処理端末であってもよい。例えば、携帯端末は、テーマパークなどのアトラクションなどでユーザに対して３Ｄコンテンツを提供するために当該ユーザが着用する３Ｄ映像閲覧用偏光眼鏡に、本発明における携帯端末２の機能を搭載したものであってもよい。
【００１７】
そして、携帯端末２は、装備された演算装置にプログラムが組み込まれることで構築された、端末角度検出部２２と、端末情報送信部２３と、提供情報受信部２４と、表示制御部２５と、を備えている。なお、上記プログラムは、予め携帯端末２に装備された記憶装置やネットワークを介して接続された記憶装置、ＣＤ−ＲＯＭといった可搬媒体などの記憶媒体に記憶されているものである。また、携帯端末２は、端末角度検出部２２と協働して携帯端末２の姿勢を検出する角度検出センサ２６を備えている。さらに、携帯端末２は、装備された記憶装置に形成された端末情報記憶部２７を備えている。以下、各構成について詳述する。
【００１８】
上記角度検出センサ２６は、例えば、ジャイロセンサや加速度センサ、ＧＰＳなどのセンサであり、携帯端末２の姿勢を表す情報の一例としてカメラ部２８の向きである撮影方向を検出するためのセンサである。具体的に、角度検出センサ２６は、ユーザＨａ，Ｈｂがそれぞれ操作する携帯端末２ａ，２ｂのカメラ部２８を、図１の符号Ｙａ，Ｙｂに示すように、壁面Ｗに設置されたディスプレイＤに対して当該ディスプレイＤに表示された表示用情報を撮影可能な方向に向けたときの方角と、水平方向に対する角度である仰俯角と、を検出する。
【００１９】
そして、上記角度検出センサ２６によるカメラ部２８の向きの検出は、端末角度検出部２２による指令に応じて一定の時間間隔にて実行され、当該端末角度検出部２２にて取得される。つまり、角度検出センサ２６と端末角度検出部２２とは、協働して携帯端末２の姿勢を検出する姿勢検出手段として機能している。なお、携帯端末の姿勢情報は、上述したカメラ部２８の方角や仰俯角に限定されず、当該カメラ部２８の向きに基づく情報であればいかなる情報でもよく、角度検出センサ２６及び端末角度検出部２２は、携帯端末の姿勢を表す情報を検出できる構成であればよい。
【００２０】
上記端末情報送信部２３（第一の無線通信手段）は、上述した端末角度検出部２２にて取得した携帯端末２のカメラ部２８の撮影方向である方角や仰俯角といった姿勢情報を受け取り、送受信アンテナ２１を介して情報提供装置１にて無線通信にて送信する機能を有する。このとき、送受信アンテナ２１は、例えば、ＲＦＩＤタグや赤外線通信にて近距離無線通信を行う通信機器であるが、送受信アンテナ２１は必ずしも近距離無線通信手段であることに限定されない。
【００２１】
なお、上記端末情報送信部２３は、上述した姿勢情報と共に、端末情報記憶部２７に記憶されている携帯端末２の操作者であるユーザの個人情報も、情報提供装置１に対して送信する。端末情報記憶部２７に記憶される個人情報としては、例えば、ユーザの性別、住所、嗜好（趣味、スポーツ、飲食物などを特定するキーワード）などである。
【００２２】
上記提供情報受信部２４（第一の無線通信手段）は、無線通信にて外部情報の受信を行う機能を有し、特に本実施形態では、後述するように、情報提供装置１から送信された提供情報を、送受信アンテナ２１を介して受信し、表示制御部２５に渡す。なお、情報提供装置１から送信される提供情報は、壁面ＷのディスプレイＤに対する携帯端末２の相対的な方向（方角、仰俯角）に応じた情報である。提供情報の一例としては、携帯端末２の方向に対して立体映像が飛び出してくる映像、携帯端末２の方向に対して映像中の人物が向いている映像、携帯端末２の方向から見た物体の立体映像、などである。さらに、提供情報は、後述するように、ユーザの性別や嗜好などの個人情報にも対応した情報である。
【００２３】
上記表示制御部２５（重畳表示手段）は、カメラ部２８から取り込んだ画像（表示用情報）をスルー画像として表示部２９に表示する。さらに、表示制御部２５は、上述したように、提供情報受信部２４にて情報提供装置１から受信した提供情報を、カメラ部２８から取り込んで表示してスルー画像に重畳表示する機能を有する。このとき、重畳表示させる方法としては、事前にディスプレイＤに表示される表示用情報内に、提供情報を表示させる位置や提供情報の大きさを特定するマーカ情報を含めておき、このマーカ情報の表示部２９における表示位置を携帯端末２が認識し、認識したマーカ情報に対応する位置や大きさで提供情報を表示する、という方法がとる。なお、カメラ部２８から取り込んだ画像上に他の情報を重畳表示する方法は既に周知であるため、その詳細な技術については説明を省略する。但し、重畳表示する方法は、上述した方法に限定されない。
【００２４】
次に、情報提供装置１の構成について説明する。情報提供装置１は、壁面Ｗに設置されるディスプレイＤ（情報提供側表示部）を接続して備えると共に、上述した携帯端末２と無線通信を行うための送受信アンテナ１１を備えたサーバコンピュータである。なお、送受信アンテナ１１は、例えば、ＲＦＩＤタグや赤外線通信にて近距離無線通信を行う通信機器であり、携帯端末２と近距離無線通信を行うことができるよう、ディスプレイＤの近辺に設置されているとよい。但し、送受信アンテナ１１は必ずしも近距離無線通信手段であることに限定されない。
【００２５】
そして、情報提供装置１は、装備された演算装置にプログラムが組み込まれることで構築された、端末情報受信部１２と、端末角度算出部１３と、提供情報送信部１４と、表示制御部１５と、を備えている。なお、上記プログラムは、予め情報提供装置１に装備された記憶装置やネットワークを介して接続された記憶装置、ＣＤ−ＲＯＭといった可搬媒体などの記憶媒体に記憶されているものである。また、情報提供装置１は、装備された記憶装置に形成された、ディスプレイ角度記憶部１６と、提供情報記憶部１７と、を備えている。以下、各構成について詳述する。
【００２６】
上記端末情報受信部１２（第二の無線通信手段、無線通信手段）は、上述したように携帯端末２から送信された当該携帯端末２のカメラ部２８の撮影方向である方角や仰俯角といった姿勢情報を、送受信アンテナ１１を介して受信する。このとき、携帯端末２からは、姿勢情報と共に、当該携帯端末２のユーザの個人情報も受信する。そして、受信した姿勢情報と個人情報とを端末角度算出部１３に渡す。
【００２７】
上記端末角度算出部１３（第二の無線通信手段、無線通信手段）は、携帯端末２から受信した姿勢情報と、ディスプレイ角度記憶部１６に記憶されている情報提供側姿勢情報と、に基づいて、ディスプレイＤに対する相対的な携帯端末２のカメラ部２８の撮影方向の向きを算出する。ここで、情報提供装置１は、予めディスプレイ角度記憶部１６に、壁面Ｗに設置されたディスプレイＤの姿勢を表す情報提供側姿勢情報として、当該ディスプレイＤの表示方向である方角と水平方向に対する角度である仰俯角とを記憶している。つまり、情報提供側姿勢情報は、図１の符号Ｙｄに示すような、ディスプレイＤの表示面に対して垂直な方向を表す方角と仰俯角とを含んでいる。但し、ディスプレイＤの水平方向における表示方向が、水平方向を向いている場合には、情報提供側姿勢情報に仰俯角情報が含まれていなくてもよい。
【００２８】
具体的に、端末角度算出部１３は、図４に示すように、ディスプレイＤに対する相対的な携帯端末２の向きを算出する。ここで、図４（Ａ）は、例えば、図１の符号Ｈｂに示すユーザをディスプレイＤの真上側から見た場合における、当該ディスプレイＤに対する携帯端末２（２ｂ）の方角を算出するときの様子を示す図である。この図に示すように、情報提供側姿勢情報であるディスプレイＤの方角が「θ」であり、携帯端末２にて検出された当該携帯端末２（２ｂ）のカメラ部２８の向きの方角が「φ」であるとすると、ディスプレイＤに対する携帯端末２（２ｂ）のカメラ部２８による撮影方向の方角は、「ε」として算出できる。また、図４（Ｂ）は、図１の符号Ｈｂに示すユーザをディスプレイＤの真横側から見た場合におけるディスプレイＤに対する携帯端末２（２ｂ）の仰俯角を算出するときの様子を示す図である。この図に示すように、ディスプレイＤが水平方向を向いており、携帯端末２にて検出された当該携帯端末２（２ｂ）のカメラ部２８の向きの仰俯角が「α」であるとすると、ディスプレイＤに対する携帯端末２（２ｂ）のカメラ部２８による撮影方向の仰俯角も「α」として算出できる。
【００２９】
以上のようにして、端末角度算出部１３は、ディスプレイＤに対する相対的な携帯端末２の向きを算出し、その結果を提供情報送信部１４に渡す。
【００３０】
上記提供情報送信部１４（第二の無線通信手段、無線通信手段）は、算出されたディスプレイＤに対する相対的な携帯端末２の向きに対応する提供情報を、提供情報記憶部１７から選択する。ここで、提供情報記憶部１７には、予めディスプレイＤに対する相対的な携帯端末２の向き毎に、それぞれ対応する提供情報を記憶している。例えば、方角、仰俯角共に、ある一定の角度の範囲毎に、それぞれ異なる提供情報を記憶している。提供情報は、例えば、携帯端末２の方向に対して立体映像が飛び出してくる映像、携帯端末２の方向に対して映像中の人物が向いている映像、携帯端末２の方向から見た物体の立体映像、などである。そして、提供情報送信部１４は、それぞれ算出された携帯端末２の向きである方角及び仰俯角に対応する提供情報を提供情報記憶部１７から選択して、送受信アンテナ１１を介して携帯端末２に送信する。このとき、提供情報送信部１４は、携帯端末２から送信されたユーザの性別や嗜好などの個人情報にも対応する提供情報を選択してもよい。
【００３１】
以上のように、端末角度算出部１３と提供情報送信部１４とは、ディスプレイＤに対する携帯端末２の相対的な向きを算出して、この算出された携帯端末２の向きに対応した提供情報を、当該携帯端末に対して送信する提供情報送信手段（第二の無線通信手段、無線通信手段）として機能する。
【００３２】
また、上記表示制御部１５は、壁面Ｗに装備されたディスプレイＤに、表示用情報を表示するよう制御する。なお、表示用情報は、予め提供情報記憶部１７に記憶されており、表示制御部１５にて提供情報記憶部１７から読み出されてディスプレイＤから表示出力される。そして、表示用情報は、携帯端末２の表示部２９上で、上述したように送信する提供情報と重畳表示される情報であるため、当該提供情報と関連する情報であり、また、重畳表示する提供情報自体や表示位置・大きさなどを特定するためのマーカ情報を含んでいる。
【００３３】
［動作］
次に、上述した情報提供システムの動作を、図５の説明図及び図６のシーケンス図を参照して説明する。まず、予め情報提供装置１は、ディスプレイＤの向き（図５の矢印Ｙｄ）を表す情報提供側姿勢情報を記憶すると共に、ディスプレイＤに対する相対的な携帯端末２の向き毎にそれぞれ対応する各提供情報を記憶する。そして、提供情報が重畳表示される表示用情報を、ディスプレイＤに表示する。
【００３４】
その後、ディスプレイＤを見たユーザＨａ，Ｈｂが、当該ディスプレイＤがユーザＨａ，Ｈｂの携帯端末２ａ，２ｂ（２）の表示部２９内に表示されるよう、カメラ部２８をディスプレイＤに向ける（図５の矢印Ｙａ，Ｙｂ）。すると、ディスプレイＤに表示されている表示画像をカメラ部２８から取込み（ステップＳ１）、携帯端末２の表示部２９ａ，２９ｂにスルー画像として表示する（ステップＳ２）。
【００３５】
続いて、携帯端末２ａ，２ｂは、角度検出センサ２６にて、携帯端末２の姿勢を表すカメラ部２８の向きを表す方角及び仰俯角といった姿勢情報を検出する（ステップＳ３）。そして、携帯端末２ａ，２ｂは、検出した姿勢情報と共に、端末情報記憶部２７に予め記憶されているユーザの個人情報を、無線通信にて情報提供装置１に送信する（ステップＳ４）。
【００３６】
すると、情報提供装置１は、携帯端末２ａ，２ｂから送信された当該携帯端末２ａ，２ｂの姿勢情報とユーザの個人情報とを受け取る（ステップＳ５）。情報提供装置１は、記憶しているディスプレイＤの向きである情報提供側姿勢情報と、携帯端末２ａ，２ｂから受信した当該携帯端末２ａ，２ｂの姿勢情報とから、ディスプレイＤに対する相対的な携帯端末２の向き（方角、仰俯角）を算出する（ステップＳ６）。そして、算出したディスプレイＤに対する相対的な携帯端末２の向きに対応する提供情報を、提供情報記憶部１７から選択する（ステップＳ７）。このとき、携帯端末２から送信されたユーザの性別や嗜好などの個人情報にも対応する提供情報を選択してもよい。
【００３７】
続いて、情報提供装置１は、選択した提供情報を、携帯端末２に対して送信する（ステップＳ８）。これにより、ディスプレイＤに対する携帯端末２の向きに応じた提供情報を、当該携帯端末２に提供することができる。
【００３８】
その後、携帯端末２は、情報提供装置１から送信された提供情報を受信する（ステップＳ９）。そして、携帯端末２は、ディスプレイＤに表示された表示用情報をカメラ部２８から取り込んでスルー画像として表示部２９ａ，２９ｂに表示すると共に、このスルー画像上に、情報提供装置１から受信した提供情報を重畳表示する（ステップＳ１０）。
【００３９】
すると、図５に示すように、各ユーザＨａ，Ｈｂの携帯端末２ａ，２ｂの表示部２９ａ，２９ｂには、それぞれディスプレイＤに表示された表示用情報が表示されると共に、各携帯端末２ａ，２ｂのディスプレイＤに対する位置に応じて異なる提供情報Ｏａ，Ｏｂがそれぞれ重畳表示されることとなる。例えば、図５の例では、提供情報が立体映像である場合に、ユーザＨａにはディスプレイＤに対する携帯端末２ａの位置に応じて右上から見た立体映像Ｏａが表示され、ユーザＨｂにはディスプレイＤに対する携帯端末２ｂの位置に応じて左下から見た立体映像Ｏｂが表示される。
【００４０】
ここで、図５のユーザＨａが携帯端末２ａをディスプレイＤに向けたまま、図５のユーザＨｂの位置まで移動すると、かかる移動の間も、一定の時間間隔にて携帯端末２ａの向きを表す姿勢情報が検出され続け、当該姿勢情報が情報提供装置１に送信される。従って、情報提供装置１は、常にユーザＨａの位置に応じた提供情報を提供することができ、これを携帯端末２側では重畳表示させることができる。
【００４１】
以上のように、本発明によると、携帯端末２の表示部２９に、実際の映像に加えて当該携帯端末２の向きに応じた情報を重畳表示させることができるため、ユーザに対する情報提供効果の向上を図ることができる。例えば、提供する情報が広告宣伝情報である場合には、その広告宣伝効果のさらなる向上を図ることができる。
【００４２】
＜実施形態２＞
本発明の第２の実施形態を、図７乃至図１０を参照して説明する。図７は、情報提供システムの利用時の様子を示す図である。図８は、情報提供システムを構成する携帯端末の構成を示す機能ブロック図であり、図９は、情報提供システムを構成する情報提供装置の構成を示す機能ブロック図である。図１０は、情報提供システムの動作を示すシーケンス図である。
【００４３】
［構成］
本実施形態における情報提供システムは、まず、図７に示すように、街中の壁面Ｗなどの所定箇所に貼付されたポスターなどの表示媒体ｄを用いて、当該表示用情報をユーザに提供している。なお、本実施形態における表示媒体ｄは、矩形であることとする。但し、本実施形態における表示用情報を提供する表示媒体は、実施形態１と同様のディスプレイＤであってもよい。
【００４４】
また、本実施形態における情報提供システムにおけるユーザＨａ，Ｈｂが操作する携帯端末２００ａ，２００ｂ（２００）は、図８に示すように、カメラ部２０８及び表示部２０９（端末側表示部）や、無線通信を行うための送受信アンテナ２０１を備えた情報処理端末である。そして、携帯端末２００は、装備された演算装置にプログラムが組み込まれることで構築された、姿勢情報取得部２０２と、端末情報送信部２０３と、提供情報受信部２０４と、表示制御部２０５と、を備えている。なお、実施形態１で説明したジャイロセンサなどの角度検出センサ２６は装備していなくてもよい。また、携帯端末２は、装備された記憶装置に形成された端末情報記憶部２０７を備えている。
【００４５】
上記姿勢情報取得部２０２（姿勢検出手段）は、上述した表示媒体ｄをカメラ部２０８にて撮影した撮影情報自体を、携帯端末２００の姿勢を表す姿勢情報として検出する。つまり、図７に示すように位置が異なる各ユーザＨａ，Ｈｂが各携帯端末２００ａ，２００ｂにて表示媒体ｄを撮影すると、各表示部２０９ａ，２０９ｂ内の撮影情報に示すように、矩形である表示媒体ｄがそれぞれ異なる状態に歪んで表示されることとなる。この歪み度合いを姿勢情報として利用する。
【００４６】
そして、上記端末情報送信部２０３（第一の無線通信手段）は、上記撮影情報を姿勢情報として、実施形態１と同様に、端末情報記憶部２０７に記憶されているユーザの個人情報と共に、送受信アンテナ２０１を介して情報提供装置１に送信する。このとき、送受信アンテナ２０１は、近距離無線通信手段である必要はなく、携帯電話網といった近距離ではない無線通信網と通信可能な機器であってもよい。
【００４７】
また、上記提供情報受信部２０４と表示制御部２０５は、上述した実施形態１と同様の構成である。つまり、提供情報受信手段２０４は、後述するように、表示媒体ｄに対する携帯端末２００の姿勢に対応して情報提供装置１００から送信された提供情報を、送受信アンテナ２０１を介して受信し、表示制御部２５に渡す。そして、表示制御部２０５（重畳表示手段）は、カメラ部２０８から取り込んだ表示媒体ｄの画像をスルー画像として表示部２０９に表示すると共に、情報提供装置１から受信した提供情報を、スルー画像に重畳表示する。このとき、重畳表示させる方法としては、事前に表示媒体ｄに表示される表示用情報内に、提供情報を表示させる位置や大きさなどを特定するマーカ情報を含めておき、このマーカ情報が表示された位置に提供情報を表示させる。このため、上述した表示媒体ｄに表示される表示用情報には、マーカ情報を含めておくとよい。但し、重畳表示する方法は、上述した方法に限定されない。
【００４８】
次に、情報提供装置１００の構成について説明する。情報提供装置１００は、上述した携帯端末２と無線通信を行うための送受信アンテナ１０１を備えたサーバコンピュータである。なお、送受信アンテナ１０１は、上述したように、近距離無線通信手段である必要はない。
【００４９】
そして、情報提供装置１００は、装備された演算装置にプログラムが組み込まれることで構築された、端末情報受信部１０２と、端末角度算出部１０３と、提供情報送信部１０４と、を備えている。また、情報提供装置１００は、装備された記憶装置に形成された、提供情報記憶部１０７と、を備えている。
【００５０】
上記端末情報受信部１０２（第二の無線通信手段、無線通信手段）は、上述したように携帯端末２から送信された当該携帯端末２００のカメラ部２０８にて撮影した撮影情報を姿勢情報として、送受信アンテナ１０１を介して受信する。このとき、携帯端末２００からは、姿勢情報と共に、当該携帯端末２００のユーザの個人情報も受信する。そして、受信した姿勢情報と個人情報とを、端末角度算出部１０３に渡す。
【００５１】
上記端末角度算出部１０３（第二の無線通信手段、無線通信手段）は、実施形態１とは異なり、携帯端末２から受信した姿勢情報である撮影情報から、表示媒体ｄに対する相対的な携帯端末２００のカメラ部２０８の撮影方向の向きを算出する。ここで、図７に示すユーザＨａ，Ｈｂのように、外形が矩形である表示媒体ｄを正面からではない位置から撮影すると、撮影情報内に映し出された表示媒体ｄの外形は歪むこととなる。このことを利用して、端末角度算出部１０３は、撮影情報内の表示媒体ｄの歪み度合いを算出し、この算出した歪み度合いから、表示媒体ｄに対する携帯端末２００のカメラ部２０８の向き（例えば、方角と仰俯角）を算出する。例えば、予め表示媒体ｄの外形の縦横比を記憶しておき、実際に撮影された撮影情報内の表示媒体ｄの縦横比から歪み度合いを算出する。そして、歪み度合いの値と表示媒体ｄに対する携帯端末２００のカメラ部２０８の向き（例えば、方角と仰俯角）との対応表を予め設定しておき、かかる対応表に基づいて携帯端末２００の向きを算出する。
【００５２】
なお、携帯端末２００の向きの算出は、必ずしも表示媒体ｄの外形の歪み度合いに基づいて行うことに限定されない。例えば、表示媒体ｄ内に矩形など予め設定された形状の表示物を表示しておくことで、携帯端末２にて撮影された撮影情報内に存在する上記表示物の形状の歪み度合いに基づいて、表示媒体ｄに対する相対的な携帯端末２００の向きを算出してもよい。
【００５３】
上記提供情報送信部１０４（第二の無線通信手段、無線通信手段）は、実施形態１と同様に、算出された表示媒体ｄに対する相対的な携帯端末２００の向きに対応する提供情報を、提供情報記憶部１０７から選択する。このとき、提供情報送信部１０４は、携帯端末２００から送信されたユーザの性別や嗜好などの個人情報にも対応する提供情報を選択してもよい。そして、提供情報送信部１０４は、携帯端末２００の向きに応じて選択した提供情報を、送受信アンテナ１０１を介して携帯端末２００に送信する。
【００５４】
［動作］
次に、上述した情報提供システムの動作を、図７と図１０のシーケンス図を参照して説明する。まず、表示媒体ｄを見たユーザＨａ，Ｈｂが、表示媒体ｄがユーザＨａ，Ｈｂの携帯端末２００ａ，２００ｂ（２００）の表示部２０９ａ，２０９ｂ（２０９）内に表示されるよう、カメラ部２０８を表示媒体ｄに向ける（図７の矢印Ｙａ，Ｙｂ）。すると、表示媒体ｄに表示されている表示画像をカメラ部２０８から取込み（ステップＳ１０１）、携帯端末２００の表示部２０９ａ，２０９ｂにスルー画像として表示する（ステップＳ１０２）。そして、携帯端末２００ａ，２００ｂは、カメラ部２０８から取り込んだ撮影情報を姿勢情報として、端末情報記憶部２７に予め記憶されているユーザの個人情報と共に、無線通信にて情報提供装置１００に送信する（ステップＳ１０３）。
【００５５】
すると、情報提供装置１００は、携帯端末２００ａ，２００ｂから送信された当該携帯端末２ａ，２ｂの姿勢情報である撮影情報とユーザの個人情報とを受け取る（ステップＳ１０４）。そして、情報提供装置１００は、携帯端末２００ａ，２００ｂから受信した表示媒体ｄを撮影した撮影情報から、つまり、撮影情報に含まれる表示媒体ｄの外形の歪み度合いから、表示媒体ｄに対する相対的な携帯端末２００の向き（方角、仰俯角）を算出する（ステップＳ１０５）。そして、算出した表示媒体ｄに対する相対的な携帯端末２００の向きに対応する提供情報を、提供情報記憶部１０７から選択する（ステップＳ１０６）。このとき、携帯端末２００から送信されたユーザの性別や嗜好などの個人情報にも対応する提供情報を選択してもよい。
【００５６】
続いて、情報提供装置１００は、選択した提供情報を、携帯端末２００に対して送信する（ステップＳ１０７）。これにより、表示媒体ｄに対する携帯端末２００の位置に応じた提供情報を、当該携帯端末２００に提供することができる。
【００５７】
その後、携帯端末２００は、情報提供装置１００から送信された提供情報を受信する（ステップＳ１０８）。そして、携帯端末２００は、表示媒体ｄに表示された表示用情報をカメラ部２０８から取り込んでスルー画像として表示部２０９ａ，２０９ｂに表示すると共に、このスルー画像上に、情報提供装置１００から受信した提供情報を重畳表示する（ステップＳ１０９）。
【００５８】
これにより、各ユーザＨａ，Ｈｂの携帯端末２００ａ，２００ｂの表示部２０９ａ，２０９ｂに、それぞれ表示媒体ｄに表示された表示用情報が表示されると共に、各携帯端末２００ａ，２００ｂの表示媒体ｄに対する位置に応じて異なる提供情報がそれぞれ重畳表示されることとなる。
【００５９】
以上のように、本発明によると、携帯端末２００の表示部２０９に、実際の映像に加えて当該携帯端末２００の向きに応じた情報を重畳表示させることができるため、ユーザに対する情報提供効果の向上を図ることができる。特に、本実施形態では、携帯端末２００の姿勢を検出するためにジャイロセンサなどの機器を搭載する必要がないため、簡易な構成で情報提供効果の向上を図ることができる。
【００６０】
＜付記＞
上記実施形態の一部又は全部は、以下の付記のようにも記載されうる。以下、本発明における情報提供システム（図１１参照）、情報提供装置（図１２参照）、プログラム、情報提供方法の構成の概略を説明する。但し、本発明は、以下の構成に限定されない。
【００６１】
（付記１）
情報提供装置３１０と、カメラ部３２１及び端末側表示部３２２を備えた携帯端末３２０と、を備え、
前記携帯端末３２０は、自端末の姿勢を検出する姿勢検出手段３２３と、この姿勢検出手段３２３にて検出された姿勢情報の送信及び外部情報の受信を行う第一の無線通信手段３２４と、を備えると共に、
前記情報提供装置３１０は、前記姿勢情報の受信及び前記姿勢情報に応じて予め記憶した提供情報の送信を行う第二の無線通信手段３１１を備え、
前記携帯端末３２０は、前記カメラ部３２１にて取り込んだ表示用情報と前記第一の無線通信手段３２４にて受信した前記提供情報を重畳して前記端末側表示部３２２に表示する重畳表示手段３２５を備えた、
情報提供システム。
【００６２】
（付記２）
付記１に記載の情報提供システムであって、
前記情報提供装置は、前記表示用情報を表示する情報提供側表示部を備えると共に、当該情報提供側表示部の姿勢を表す情報提供側姿勢情報を記憶しており、
前記情報提供装置が有する前記第二の無線通信手段は、前記情報提供側姿勢情報と前記携帯端末から送信された前記姿勢情報とに基づいて、自装置に対する前記携帯端末の相対的な姿勢を算出して当該算出した前記携帯端末の姿勢に応じた前記提供情報を送信する、
情報提供システム。
【００６３】
（付記３）
付記２に記載の情報提供システムであって、
前記携帯端末が有する前記姿勢検出手段は、前記カメラ部の向きを前記姿勢情報として検出し、
前記情報提供装置は、前記情報提供側表示部が前記表示用情報を表示する向きを前記情報提供側姿勢情報として記憶しており、
前記情報提供装置が有する前記第二の無線通信手段は、前記情報提供側姿勢情報と前記携帯端末から送信された前記姿勢情報とに基づいて、自装置に対する前記携帯端末の相対的な向きを算出して当該算出した前記携帯端末の向きに応じた前記提供情報を送信する、
情報提供システム。
【００６４】
（付記４）
付記３に記載の情報提供システムであって、
前記携帯端末が有する前記姿勢検出手段は、前記カメラ部を向けている方角と水平方向に対する角度とを前記姿勢情報として検出し、
前記情報提供装置は、前記情報提供側表示部が前記提供情報を表示する方角と水平方向に対する角度とを前記情報提供側姿勢情報として記憶し、
前記情報提供装置が有する前記第二の無線通信手段は、自装置と前記携帯端末との相対的な方角と水平方向に対する角度から自装置に対する前記携帯端末の相対的な向きを算出する、
情報提供システム。
【００６５】
（付記５）
付記１に記載の情報提供システムであって、
前記携帯端末が有する前記姿勢検出手段は、表示媒体を前記カメラ部にて撮影した撮影情報を前記姿勢情報として検出し、
前記情報提供装置が有する前記第二の無線通信手段は、前記携帯端末から送信された前記姿勢情報である前記撮影情報に基づいて、前記携帯端末の前記表示媒体に対する相対的な姿勢を算出して当該算出した前記携帯端末の姿勢に応じた前記提供情報を送信する、
情報提供システム。
【００６６】
（付記６）
付記５に記載の情報提供システムであって、
前記情報提供装置が有する前記第二の無線通信手段は、前記携帯端末から送信された前記撮影情報内に存在する予め設定された表示物の形状に基づいて、前記携帯端末の前記表示媒体に対する相対的な姿勢を算出する、
情報提供システム。
【００６７】
（付記７）
付記６に記載の情報提供システムであって、
前記情報提供装置が有する前記第二の無線通信手段は、前記携帯端末から送信された前記撮影情報内に存在する予め設定された表示物の形状の歪み度合いに応じて、前記携帯端末の前記表示媒体に対する相対的な向きを算出する、
情報提供システム。
【００６８】
（付記８）
カメラ部及び端末側表示部を備えた携帯端末４２０と無線通信可能であり、
前記携帯端末４２０にて検出された当該携帯端末４２０の姿勢を表す姿勢情報の受信、及び、前記携帯端末４２０の前記カメラ部にて取り込まれた表示用情報に前記携帯端末４２０上で重畳表示される情報として予め記憶した提供情報の送信を行う無線通信手段４１１を備え、
前記無線通信手段４１１は、前記携帯端末４２０から受信した前記姿勢情報に応じて前記提供情報を送信する、
情報提供装置４１０。
【００６９】
（付記９）
付記８に記載の情報提供装置であって、
前記携帯端末の前記カメラ部に取り込まれる前記表示用情報を表示する情報提供側表示部を備えると共に、当該情報提供側表示部の姿勢を表す情報提供側姿勢情報を記憶し、
前記無線通信手段は、前記情報提供側姿勢情報と前記携帯端末から受信した前記姿勢情報とに基づいて、自装置に対する前記携帯端末の相対的な姿勢を算出して当該算出した前記携帯端末の姿勢に応じた前記提供情報を送信する、
情報提供装置。
【００７０】
（付記１０）
付記８に記載の情報提供装置であって、
前記無線通信手段は、前記携帯端末の前記カメラ部にて撮影された表示媒体の撮影情報を、前記姿勢情報として前記携帯端末から受信し、前記携帯端末から受信した前記姿勢情報である前記撮影情報に基づいて、前記携帯端末の前記表示媒体に対する相対的な姿勢を算出して当該算出した前記携帯端末の姿勢に応じた前記提供情報を送信する、
情報提供装置。
【００７１】
（付記１１）
カメラ部及び端末側表示部を備えた携帯端末と無線通信可能な情報提供装置に、
前記携帯端末にて検出された当該携帯端末の姿勢を表す姿勢情報の受信、及び、前記携帯端末の前記カメラ部にて取り込まれた表示用情報に前記携帯端末上で重畳表示される情報として予め記憶した提供情報の送信を行う無線通信手段を実現させると共に、
前記無線通信手段は、前記携帯端末から受信した前記姿勢情報に応じて前記提供情報を送信する、
ことを実現させるためのプログラム。
【００７２】
（付記１２）
付記１１に記載のプログラムであって、
前記無線通信手段は、前記携帯端末の前記カメラ部に取り込まれる前記表示用情報を表示する前記情報提供装置が備えた情報提供側表示部の姿勢を表す予め記憶された情報提供側姿勢情報と前記携帯端末から受信した前記姿勢情報とに基づいて、自装置に対する前記携帯端末の相対的な姿勢を算出して当該算出した前記携帯端末の姿勢に応じた前記提供情報を送信する、
ことを実現させるためのプログラム。
【００７３】
（付記１３）
付記１１に記載のプログラムであって、
前記無線通信手段は、前記携帯端末の前記カメラ部にて撮影された表示媒体の撮影情報を、前記姿勢情報として前記携帯端末から受信し、前記携帯端末から受信した前記姿勢情報である前記撮影情報に基づいて、前記携帯端末の前記表示媒体に対する相対的な姿勢を算出して当該算出した前記携帯端末の姿勢に応じた前記提供情報を送信する、
ことを実現させるためのプログラム。
【００７４】
（付記１４）
カメラ部及び端末側表示部を備えた携帯端末が、自端末の姿勢を検出し、この検出された姿勢情報を無線通信にて情報提供装置に対して送信し、
前記情報提供装置が、前記携帯端末から送信された前記姿勢情報に応じて、予め記憶した提供情報を無線通信にて外部に送信し、
前記携帯端末が、前記情報提供装置から送信された前記提供情報を受信し、前記カメラ部にて取り込んで前記端末側表示部に表示した表示用情報と前記提供情報とを重畳して表示する、
情報提供方法。
【００７５】
（付記１５）
付記１４に記載の情報提供方法であって、
前記情報提供装置が、前記携帯端末の前記カメラ部に取り込まれる前記表示用情報を表示する情報提供側表示部を備えており、当該情報提供側表示部の姿勢を表す予め記憶された情報提供側姿勢情報と、前記携帯端末から受信した前記姿勢情報とに基づいて、自装置に対する前記携帯端末の相対的な姿勢を算出して当該算出した前記携帯端末の姿勢に応じた前記提供情報を送信する、
情報提供方法。
【００７６】
（付記１６）
付記１４に記載の情報提供方法であって、
前記情報提供装置が、前記携帯端末の前記カメラ部にて撮影された表示媒体の撮影情報を、前記姿勢情報として前記携帯端末から受信し、
前記情報提供装置が、前記携帯端末から受信した前記姿勢情報である前記撮影情報に基づいて、前記携帯端末の前記表示媒体に対する相対的な姿勢を算出して当該算出した前記携帯端末の姿勢に応じた前記提供情報を送信する、
情報提供方法。
【符号の説明】
【００７７】
１  情報提供装置
１１  送受信アンテナ
１２  端末情報受信部
１３  端末角度算出部
１４  提供情報送信部
１５  表示制御部
１６  ディスプレイ角度記憶部
１７  提供情報記憶部
２，２ａ，２ｂ  携帯端末
２１  送受信アンテナ
２２  端末角度検出部
２３  端末情報送信部
２４  提供情報受信部
２５  表示制御部
２６  角度検出センサ
２７  端末情報記憶部
２８  カメラ部
２９，２９ａ，２９ｂ  表示部
Ｄ  ディスプレイ
Ｗ  壁面
Ｈａ，Ｈｂ  ユーザ
Ｏａ，Ｏｂ  提供情報
１００  情報提供装置
１０１  送受信アンテナ
１０２  端末情報受信部
１０３  端末角度算出部
１０４  提供情報送信部
１０７  提供情報記憶部
２００，２００ａ，２００ｂ  携帯端末
２０１  送受信アンテナ
２０２  姿勢情報取得部
２０３  端末情報送信部
２０４  提供情報受信部
２０５  表示制御部
２０７  端末情報記憶部
２０８  カメラ部
２０９，２０９ａ，２０９ｂ  表示部
ｄ  表示媒体
３１０  情報提供装置
３１１  提供情報送信手段
３２０  携帯端末
３２１  カメラ部
３２２  端末側表示部
３２３  姿勢検出手段
３２４  姿勢情報送信手段
３２５  重畳表示手段
４１０  情報提供装置
４１１  姿勢情報受信手段
４１２  提供情報送信手段
４２０  携帯端末
【図１】
2013069198.tif 000003
【図２】
2013069198.tif 000004
【図３】
2013069198.tif 000005
【図４】
2013069198.tif 000006
【図５】
2013069198.tif 000007
【図６】
2013069198.tif 000008
【図７】
2013069198.tif 000009
【図８】
2013069198.tif 000010
【図９】
2013069198.tif 000011
【図１０】
2013069198.tif 000012
【図１１】
2013069198.tif 000013
【図１２】
2013069198.tif 000014